(57)【要約】【課題】情報記録媒体に記録されたコンテンツの再生を行う再生装置であって、コンテンツの所定の範囲の通常再生と逆再生とを繰返して実行させる往復再生機能を簡便な操作にて実行させる再生装置の提供。【解決手段】情報記録媒体に記録されているコンテンツの再生処理中に、往復再生キーの１回目の入力があった場合（ステップ２０３）には当該入力があった時点を「開始地点」として取得して記憶部に格納し（ステップ２０５）、往復再生キーの２回目の入力があった場合には当該入力があった時点を「終了地点」として取得して記憶部に格納（ステップ２０８）した上で、「開始地点」と「終了地点」によって定められる範囲のコンテンツの再生処理と逆再生処理とを繰返す（ステップ２０９）。【選択図】図２
2007141300.tif 000002
【特許請求の範囲】
【請求項１】
情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記操作部に往復再生キーを備えさせることにより、前記コンテンツの再生処理中に、前記往復再生キーの１回目の入力があった場合には当該入力があった時点を開始地点として取得して前記記憶部に格納し、前記往復再生キーの２回目の入力があった場合には当該入力があった時点を終了地点として取得して前記記憶部に格納した上で、前記開始地点と前記終了地点によって定められる範囲の前記コンテンツの再生処理と逆再生処理とを繰返すことを特徴とする往復再生簡易設定機能を備える再生装置。
【請求項２】
情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記記憶部に予め若しくはユーザによって設定された時間情報を格納し、前記操作部に往復再生キーを備えさせることにより、前記コンテンツの再生処理中に、前記往復再生キーの入力があった場合には、当該入力があった時点から前記時間情報によって定められる時間だけ遡った時点を開始地点として取得し、前記入力があった時点を終了地点として取得して前記記憶部に格納した上で、若しくは、前記入力があった時点を開始地点として取得し、前記入力があった時点から前記時間情報によって定められる時間だけ延長した時点を終了地点として取得して前記記憶部に格納した上で、若しくは、前記入力があった時点を基準として、前記時間情報によって定められる時間だけ前後に変位させた時点を開始地点と終了地点として取得して前記記憶部に格納した上で、前記開始地点と前記終了地点によって定められる範囲の前記コンテンツの再生処理と逆再生処理とを繰返すことを特徴とする往復再生簡易設定機能を備える再生装置。
【請求項３】
情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記操作部に往復再生キーを備えさせることにより、前記コンテンツの再生処理中に、前記往復再生キーの入力があった場合には、当該往復再生キーの入力の持続時間に応じて定められる変位時間を取得し、前記往復再生キーの入力があった時点から前記変位時間だけ遡った時点を開始地点として取得し、前記入力があった時点を終了地点として取得して前記記憶部に格納した上で、若しくは、前記入力があった時点を開始地点として取得し、前記入力があった時点から前記変位時間だけ延長した時点を終了地点として取得して前記記憶部に格納した上で、若しくは、前記入力があった時点を基準として、前記変位時間によって定められる時間だけ前後に変位させた時点を開始地点と終了地点として取得して前記記憶部に格納した上で、前記開始地点と前記終了地点によって定められる範囲の前記コンテンツの再生処理と逆再生処理とを繰返すことを特徴とする往復再生簡易設定機能を備える再生装置。
【請求項４】
繰返し回数情報と再生方法とが対応付けられたリピート再生方法設定テーブルを前記記憶部に格納することにより、前記開始地点と前記終了地点とが取得された際には、当該開始地点と終了地点によって定められる範囲の前記コンテンツの繰返し再生処理において、再生の繰返し回数に応じて、前記リピート再生方法設定テーブルの設定に従った再生処理を行うことを特徴とする請求項１乃至請求項３の何れか１つに記載の往復再生簡易設定機能を備える再生装置。
【請求項５】
情報記録媒体からの情報読出部と、制御部と、再生処理部と、記憶部と、往復再生キーを備える操作部と、を備えることにより、情報記録媒体に記録されたコンテンツの再生処理及び逆再生処理を実行可能な再生装置に、コンテンツの再生処理中における前記往復再生キーの入力の有無を判別するステップと、当該往復再生キーの１回目の入力があった場合には当該入力があった時点を開始地点として取得して前記記憶部に格納するステップと、前記往復再生キーの２回目の入力があった場合には当該入力があった時点を終了地点として取得して前記記憶部に格納するステップと、前記開始地点と前記終了地点によって定められる範囲の前記コンテンツの再生処理と逆再生処理とを繰返すステップと、を実行させることを特徴とする往復再生機能実行プログラム。
【請求項６】
情報記録媒体からの情報読出部と、制御部と、再生処理部と、予め若しくはユーザによって設定された時間情報が格納された記憶部と、往復再生キーを備える操作部と、を備えることにより、情報記録媒体に記録されたコンテンツの再生処理及び逆再生処理を実行可能な再生装置に、コンテンツの再生処理中における前記往復再生キーの入力の有無を判別するステップと、当該往復再生キーの入力があった場合には当該入力時点から前記時間情報によって定められる時間だけ遡った時点を開始地点として取得し前記入力時点を終了地点として取得して前記記憶部に格納するステップ、又は、前記往復再生キーの入力があった場合には当該入力時点を開始地点として取得し前記入力時点から前記時間情報によって定められる時間だけ延長した時点を終了地点として取得して前記記憶部に格納するステップ、又は、前記往復再生キーの入力があった場合には当該入力時点を基準として前記時間情報によって定められる時間だけ前後に変位させた時点を開始地点と終了地点として取得して前記記憶部に格納するステップと、前記開始地点と前記終了地点によって定められる範囲の前記コンテンツの再生処理と逆再生処理とを繰返すステップと、を実行させることを特徴とする往復再生機能実行プログラム。
【請求項７】
情報記録媒体からの情報読出部と、制御部と、再生処理部と、記憶部と、往復再生キーを備える操作部と、を備えることにより、情報記録媒体に記録されたコンテンツの再生処理及び逆再生処理を実行可能な再生装置に、コンテンツの再生処理中における前記往復再生キーの入力の有無を判別するステップと、当該入力があった場合には当該往復再生キーの入力の持続時間に応じて定められる変位時間を取得するステップと、前記往復再生キーの入力があった時点から前記変位時間だけ遡った時点を開始地点として取得し前記入力時点を終了地点として取得して前記記憶部に格納するステップ、又は、前記入力時点を開始地点として取得し前記入力時点から前記変位時間だけ延長した時点を終了地点として取得して前記記憶部に格納するステップ、又は、前記入力時点を基準として前記変位時間によって定められる時間だけ前後に変位させた時点を開始地点と終了地点として取得して前記記憶部に格納するステップと、前記開始地点と前記終了地点によって定められる範囲の前記コンテンツの再生処理と逆再生処理とを繰返すステップと、を実行させることを特徴とする往復再生機能実行プログラム。
【発明の詳細な説明】
【技術分野】
【０００１】
本発明は、情報記録媒体に記録されたコンテンツ（映像や音声）の再生を行う再生装置に関し、特に、所定の範囲のコンテンツ再生と逆再生を繰り返して行う往復再生機能を備えた再生装置に関する。
【背景技術】
【０００２】
情報記録媒体（例えばＤＶＤなど）に記録された映像や音声などのコンテンツの再生処理を行う再生装置（例えばＤＶＤプレーヤなど）において、設定した範囲のコンテンツを繰返して再生させる「リピート再生機能」を備える装置が従来存在している。このような「リピート再生機能」に関する従来技術が特許文献１〜特許文献２などによって開示されている。また、コンテンツの逆再生処理に関する従来技術が特許文献３〜特許文献４などによって開示されている。
【０００３】
【特許文献１】特開２００２−２０８２１２号公報
【特許文献２】特開２００４−４０７０５号公報
【特許文献３】特開２００３−１２３３８８号公報
【特許文献４】特開２００４−３６４２１１号公報
【発明の開示】
【発明が解決しようとする課題】
【０００４】
従来の再生装置において、コンテンツの所定の範囲の通常再生と逆再生とを繰返して実行させるためには、手動で再生と逆再生とを繰返させる操作（再生指示操作と逆再生指示操作とをその都度行うなど）を行う必要があった。
【０００５】
本発明は、上記した点に鑑み、情報記録媒体に記録されたコンテンツの再生を行う再生装置であって、コンテンツの所定の範囲の通常再生と逆再生とを繰返して実行させる往復再生機能を簡便な操作にて実行させる再生装置を提供することを目的とする。
【課題を解決するための手段】
【０００６】
請求項１の往復再生簡易設定機能を備える再生装置は、情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記操作部に往復再生キーを備えさせることにより、前記コンテンツの再生処理中に、前記往復再生キーの１回目の入力があった場合には当該入力があった時点を開始地点として取得して前記記憶部に格納し、前記往復再生キーの２回目の入力があった場合には当該入力があった時点を終了地点として取得して前記記憶部に格納した上で、前記開始地点と前記終了地点によって定められる範囲の前記コンテンツの再生処理と逆再生処理とを繰返すことを特徴とする。
【０００７】
上記構成によれば、「往復再生キー」を２回操作することのみによって、コンテンツの所定の範囲の再生処理と逆再生処理とを繰返す処理を実行させることが可能となる。なお、「往復再生キー」の“キー”とは、ボタンのような“押下げ”操作を行う入力装置に限るものではなく、「往復再生機能（範囲）の設定」の命令をユーザから得ることができる入力装置全般をいう。
【０００８】
請求項２の往復再生簡易設定機能を備える再生装置は、情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記記憶部に予め若しくはユーザによって設定された時間情報を格納し、前記操作部に往復再生キーを備えさせることにより、前記コンテンツの再生処理中に、前記往復再生キーの入力があった場合には、当該入力があった時点から前記時間情報によって定められる時間だけ遡った時点を開始地点として取得し、前記入力があった時点を終了地点として取得して前記記憶部に格納した上で、若しくは、前記入力があった時点を開始地点として取得し、前記入力があった時点から前記時間情報によって定められる時間だけ延長した時点を終了地点として取得して前記記憶部に格納した上で、若しくは、前記入力があった時点を基準として、前記時間情報によって定められる時間だけ前後に変位させた時点を開始地点と終了地点として取得して前記記憶部に格納した上で、前記開始地点と前記終了地点によって定められる範囲の前記コンテンツの再生処理と逆再生処理とを繰返すことを特徴とする。
【０００９】
上記構成によれば、「往復再生キー」を１回操作することのみによって、コンテンツの所定の範囲の再生処理と逆再生処理とを繰返す処理を実行させることが可能となる。
【００１０】
請求項３の往復再生簡易設定機能を備える再生装置は、情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記操作部に往復再生キーを備えさせることにより、前記コンテンツの再生処理中に、前記往復再生キーの入力があった場合には、当該往復再生キーの入力の持続時間に応じて定められる変位時間を取得し、前記往復再生キーの入力があった時点から前記変位時間だけ遡った時点を開始地点として取得し、前記入力があった時点を終了地点として取得して前記記憶部に格納した上で、若しくは、前記入力があった時点を開始地点として取得し、前記入力があった時点から前記変位時間だけ延長した時点を終了地点として取得して前記記憶部に格納した上で、若しくは、前記入力があった時点を基準として、前記変位時間によって定められる時間だけ前後に変位させた時点を開始地点と終了地点として取得して前記記憶部に格納した上で、前記開始地点と前記終了地点によって定められる範囲の前記コンテンツの再生処理と逆再生処理とを繰返すことを特徴とする。
【００１１】
上記構成によれば、「往復再生キー」を１回操作（長押し操作など）することのみによって、コンテンツの所定の範囲の再生処理と逆再生処理とを繰返す処理を実行させることが可能となる。
【００１２】
請求項４の往復再生簡易設定機能を備える再生装置は、請求項１乃至請求項３の何れか１つに記載の往復再生簡易設定機能を備える再生装置であって、繰返し回数情報と再生方法とが対応付けられたリピート再生方法設定テーブルを前記記憶部に格納することにより、前記開始地点と前記終了地点とが取得された際には、当該開始地点と終了地点によって定められる範囲の前記コンテンツの繰返し再生処理において、再生の繰返し回数に応じて、前記リピート再生方法設定テーブルの設定に従った再生処理を行うことを特徴とする。
【００１３】
上記構成によれば、「往復再生キー」を１回操作若しくは２回操作することによって定められたコンテンツの範囲が、リピート再生方法設定テーブルの設定に従って、繰返し再生処理（特殊再生処理）される。なお、繰返し回数情報と対応付けられてリピート再生方法設定テーブルに格納される「再生方法」とは、通常の再生と特殊再生とをいい、“特殊再生”とは、例えば、スロー再生、逆スロー再生、早送り再生、早戻し再生、逆再生のごときもの（コンテンツの再生状態が維持されるが、通常の再生状態とは異なる動作）をいう。
【００１４】
請求項５の往復再生機能実行プログラムは、情報記録媒体からの情報読出部と、制御部と、再生処理部と、記憶部と、往復再生キーを備える操作部と、を備えることにより、情報記録媒体に記録されたコンテンツの再生処理及び逆再生処理を実行可能な再生装置に、コンテンツの再生処理中における前記往復再生キーの入力の有無を判別するステップと、当該往復再生キーの１回目の入力があった場合には当該入力があった時点を開始地点として取得して前記記憶部に格納するステップと、前記往復再生キーの２回目の入力があった場合には当該入力があった時点を終了地点として取得して前記記憶部に格納するステップと、前記開始地点と前記終了地点によって定められる範囲の前記コンテンツの再生処理と逆再生処理とを繰返すステップと、を実行させることを特徴とする。
【００１５】
請求項６の往復再生機能実行プログラムは、情報記録媒体からの情報読出部と、制御部と、再生処理部と、予め若しくはユーザによって設定された時間情報が格納された記憶部と、往復再生キーを備える操作部と、を備えることにより、情報記録媒体に記録されたコンテンツの再生処理及び逆再生処理を実行可能な再生装置に、コンテンツの再生処理中における前記往復再生キーの入力の有無を判別するステップと、当該往復再生キーの入力があった場合には当該入力時点から前記時間情報によって定められる時間だけ遡った時点を開始地点として取得し前記入力時点を終了地点として取得して前記記憶部に格納するステップ、又は、前記往復再生キーの入力があった場合には当該入力時点を開始地点として取得し前記入力時点から前記時間情報によって定められる時間だけ延長した時点を終了地点として取得して前記記憶部に格納するステップ、又は、前記往復再生キーの入力があった場合には当該入力時点を基準として前記時間情報によって定められる時間だけ前後に変位させた時点を開始地点と終了地点として取得して前記記憶部に格納するステップと、前記開始地点と前記終了地点によって定められる範囲の前記コンテンツの再生処理と逆再生処理とを繰返すステップと、を実行させることを特徴とする。
【００１６】
請求項７の往復再生機能実行プログラムは、情報記録媒体からの情報読出部と、制御部と、再生処理部と、記憶部と、往復再生キーを備える操作部と、を備えることにより、情報記録媒体に記録されたコンテンツの再生処理及び逆再生処理を実行可能な再生装置に、コンテンツの再生処理中における前記往復再生キーの入力の有無を判別するステップと、当該入力があった場合には当該往復再生キーの入力の持続時間に応じて定められる変位時間を取得するステップと、前記往復再生キーの入力があった時点から前記変位時間だけ遡った時点を開始地点として取得し前記入力時点を終了地点として取得して前記記憶部に格納するステップ、又は、前記入力時点を開始地点として取得し前記入力時点から前記変位時間だけ延長した時点を終了地点として取得して前記記憶部に格納するステップ、又は、前記入力時点を基準として前記変位時間によって定められる時間だけ前後に変位させた時点を開始地点と終了地点として取得して前記記憶部に格納するステップと、前記開始地点と前記終了地点によって定められる範囲の前記コンテンツの再生処理と逆再生処理とを繰返すステップと、を実行させることを特徴とする。
【発明の効果】
【００１７】
本発明の請求項１の、情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記操作部に往復再生キーを備えさせることにより、前記コンテンツの再生処理中に、前記往復再生キーの１回目の入力があった場合には当該入力があった時点を開始地点として取得して前記記憶部に格納し、前記往復再生キーの２回目の入力があった場合には当該入力があった時点を終了地点として取得して前記記憶部に格納した上で、前記開始地点と前記終了地点によって定められる範囲の前記コンテンツの再生処理と逆再生処理とを繰返すことを特徴とする往復再生簡易設定機能を備える再生装置によれば、「往復再生キー」を２回操作することのみによって、コンテンツの所定の範囲の再生処理と逆再生処理とを繰返す処理を実行させることが可能となるため、ユーザの利便性に優れる。例えば、スポーツのクロスプレイ映像部分において「往復再生キー」を２回操作することのみによって、クロスプレイ部分の映像を、通常再生→逆再生→通常再生→逆再生・・・と繰返させることが可能となり、ユーザの利便性に優れるのである。
【００１８】
本発明の請求項２の、情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記記憶部に予め若しくはユーザによって設定された時間情報を格納し、前記操作部に往復再生キーを備えさせることにより、前記コンテンツの再生処理中に、前記往復再生キーの入力があった場合には、当該入力があった時点から前記時間情報によって定められる時間だけ遡った時点を開始地点として取得し、前記入力があった時点を終了地点として取得して前記記憶部に格納した上で、若しくは、前記入力があった時点を開始地点として取得し、前記入力があった時点から前記時間情報によって定められる時間だけ延長した時点を終了地点として取得して前記記憶部に格納した上で、若しくは、前記入力があった時点を基準として、前記時間情報によって定められる時間だけ前後に変位させた時点を開始地点と終了地点として取得して前記記憶部に格納した上で、前記開始地点と前記終了地点によって定められる範囲の前記コンテンツの再生処理と逆再生処理とを繰返すことを特徴とする往復再生簡易設定機能を備える再生装置によれば、「往復再生キー」を１回操作することのみによって、コンテンツの所定の範囲の再生処理と逆再生処理とを繰返す処理を実行させることが可能となるため、より操作性に優れる。
【００１９】
本発明の請求項３の、情報記録媒体からの情報読出部と、制御部と、再生処理部と、記憶部と、操作部と、を備えることにより、情報記録媒体に記録されたコンテンツの再生処理及び逆再生処理を実行可能な再生装置であって、前記操作部に往復再生キーを備えさせることにより、前記コンテンツの再生処理中に、前記往復再生キーの入力があった場合には、当該往復再生キーの入力の持続時間に応じて定められる変位時間を取得し、前記往復再生キーの入力があった時点から前記変位時間だけ遡った時点を開始地点として取得し、前記入力があった時点を終了地点として取得して前記記憶部に格納した上で、若しくは、前記入力があった時点を開始地点として取得し、前記入力があった時点から前記変位時間だけ延長した時点を終了地点として取得して前記記憶部に格納した上で、若しくは、前記入力があった時点を基準として、前記変位時間によって定められる時間だけ前後に変位させた時点を開始地点と終了地点として取得して前記記憶部に格納した上で、前記開始地点と前記終了地点によって定められる範囲の前記コンテンツの再生処理と逆再生処理とを繰返すことを特徴とする往復再生簡易設定機能を備える再生装置によれば、「往復再生キー」を１回操作することのみによって、コンテンツの所定の範囲の再生処理と逆再生処理とを繰返す処理を実行させることが可能となると共に、「往復再生キー」の入力時間に応じて「所定の範囲」の広狭が定められるため、１回の操作だけで「所定の範囲」を所望の広さに設定でき、より利便性に優れる。
【００２０】
本発明の請求項４の、繰返し回数情報と再生方法とが対応付けられたリピート再生方法設定テーブルを前記記憶部に格納することにより、前記開始地点と前記終了地点とが取得された際には、当該開始地点と終了地点によって定められる範囲の前記コンテンツの繰返し再生処理において、再生の繰返し回数に応じて、前記リピート再生方法設定テーブルの設定に従った再生処理を行うことを特徴とする請求項１乃至請求項３の何れか１つに記載の往復再生簡易設定機能を備える再生装置によれば、「往復再生キー」を１回操作若しくは２回操作することによって定められたコンテンツの範囲が、リピート再生方法設定テーブルの設定に従って、繰返し再生処理（特殊再生処理）されるため、再生方法の多様化が図られユーザの利便性に優れる。
【発明を実施するための最良の形態】
【００２１】
以下、本発明の具体的実施例について、図面を参照しながら説明する。なお、以下の実施態様は、本発明を具体化する際の一形態であって、本発明をその範囲内に限定するためのものではない。
【実施例１】
【００２２】
図１は本実施例のＤＶＤ再生装置の本発明に係る部分のみの概略を示すブロック図である。図２・図３はそれぞれ本発明に関する処理動作の概略を示すフローチャートである。
【００２３】
図１に示されるように、本実施例のＤＶＤ再生装置１は、情報記録媒体であるＤＶＤ３からの信号の読込みをおこなう情報読出部たるディスクドライブ１１と、ディスクドライブ１１から入力されたデータを伸張するデコーダ等を備えることによりＤＶＤ３に記録されているコンテンツの再生処理を行う再生処理部１２と、再生処理部１２によって生成された映像／音声信号を外部表示装置（例えばテレビ）へと出力する外部出力部１３と、ユーザに対する入力インターフェースである操作部１４（本体操作部１４ａと、リモコン装置２と、リモコン装置２からの信号を受信する受光部１４ｂと、本体操作部１４ａ若しくは受光部１４ｂからの信号内容を判別するキー判別部１４ｃによって構成される）と、装置全体の制御を行う制御部１５と、記憶手段である記憶部１６と、等を備える。ＤＶＤ再生装置１は、ユーザからの特殊再生（例えば、スロー再生、逆スロー再生、早送り再生、早戻し再生、逆再生など）要求に応じて、ディスクドライブ１１と再生処理部１２と制御部１５によって、逆再生などの特殊再生を実行させる機能を有するものである。
【００２４】
次に、図２及び図３を参照しつつ、本実施例のＤＶＤ再生装置１の本発明に関する動作の概略を説明する。図２は、往復再生機能の設定から実行、終了に至る処理の概略を示したフローチャートである。
【００２５】
操作部１４ａ若しくはリモコン装置２（操作部１４）の操作によりユーザからのコンテンツ再生要求があった場合には（ステップ２０１）、ディスクドライブ１１・再生処理部１２・制御部１５によってＤＶＤ３に記録されているコンテンツの再生処理を行う（ステップ２０２）。続くステップ２０３では、リモコン装置２に設けられる往復再生キー２３の入力（「開始地点」の設定要求）を待ち、往復再生キー２３の入力が無いままコンテンツの再生が終了した場合には（ステップ２０４）、処理を終了する。なお、「コンテンツ再生処理の終了」とは、ユーザによる再生停止指示や電源オフ指示などによる場合を含むものである（ステップ２０７においても同様）。
【００２６】
往復再生キー２３の入力があった場合には当該入力があった時点（時間情報）を「開始地点」として取得して記憶部１６に記憶させる（ステップ２０５）と共に、ステップ２０６へと移行して往復再生キー２３の再度の入力（「終了地点」の設定要求）を待つ。往復再生キー２３の入力が無いままコンテンツの再生が終了した場合には（ステップ２０７）処理を終了し、往復再生キー２３の入力（「終了地点」の設定要求）があった場合には当該入力があった時点（時間情報）を「終了地点」として取得して記憶部１６に記憶させる（ステップ２０８）。
【００２７】
続くステップ２０９では、往復再生処理（図３に示す処理）を実行させ、往復再生の終了指示があった際に（ステップ２１０）、往復再生処理を終了させて（ステップ２１１）処理を終了する。なお、「往復再生の終了指示」とは、コンテンツ再生状態を維持しつつ繰り返し再生処理のみを終了させるもの（例えば、往復再生キー２３の再度の入力）の他、「停止ボタン」の入力によるコンテンツ再生停止指示や、「電源ボタン」の入力による装置の電源オフ指示などが該当する。
【００２８】
図３は、「往復再生処理」の動作の概略を示すフローチャートである。ステップ３０１では、「開始地点」からのコンテンツの再生処理を行う。当該処理は、記憶部１６に格納されている「開始地点」を制御部１５によって取得し、当該「開始地点」情報を利用して、再生処理部１２によってディスクドライブ１１を制御しつつ「開始地点」からのコンテンツデータを取得し、これを映像／音声信号として外部出力部１３から出力することによって行われる。
【００２９】
ステップ３０２では、再生処理部１２及び制御部１５によって、コンテンツ再生位置が、記憶部１６に格納されている「終了地点」に至ったか否かを判別し、「終了地点」に至ったと判断された場合には、「終了地点」における画像を表示させる処理を行う（ステップ３０３）。“「終了地点」における画像を表示させる処理”とは、再生処理（ステップ３０１）から逆再生処理（ステップ３０４）へと移行する際に要する処理時間等によって一時的に映像が表示されない状況や映像が乱れる状況が発生することを防止するために、「終了地点」における画像を一時的にメモリ（例えば再生処理部に備えられるビデオメモリなど）に保存し、これを表示させるものである。従って、再生処理から逆再生処理への移行が十分にスムーズに行われる処理方式や装置である場合には、特に必要無い（ステップ３０６においても同様）。
【００３０】
ステップ３０４では、ディスクドライブ１１と再生処理部１２と制御部１５によって、「終了地点」からのコンテンツの逆再生処理を行い、再生処理部１２及び制御部１５によって、コンテンツ再生位置が、記憶部１６に格納されている「開始地点」に至ったと判断された場合には（ステップ３０５）、「開始地点」における画像を表示させる処理を行う（ステップ３０６）。以降は、ステップ３０１へと戻って処理を繰返す（これにより、「開始地点」と「終了地点」の間の再生と逆再生が繰り返して実行される（即ち、往復再生処理が行われる）こととなる）。
【００３１】
以上のごとく、本実施例のＤＶＤ再生装置１によれば、「往復再生キー２３」を２回操作することのみによって、コンテンツの所定の範囲の再生処理と逆再生処理とを繰返す処理を実行させることが可能となるため、ユーザの利便性に優れる。例えば、スポーツのクロスプレイ映像部分において「往復再生キー」を２回操作することのみによって、クロスプレイ部分の映像を、通常再生→逆再生→通常再生→逆再生・・・と繰返させることが可能となり、ユーザの利便性に優れるのである。
【実施例２】
【００３２】
図４・図５はそれぞれ本実施例のＤＶＤ再生装置の本発明に関する処理動作の概略を示すフローチャートである。なお、本実施例のＤＶＤ再生装置の構成は、実施例１（図１）と同様であるため、ここでの説明を省略し、必要があるときは図１を参照しつつ説明する。
【００３３】
図４は、往復再生時間設定処理の動作の概略を示すフローチャートである。操作部１４に対するユーザからの往復再生時間設定要求があった場合には（ステップ４０１）、図８に示されるような往復再生時間の入力を求める設定画面を表示し（ＯＳＤ信号生成機能を有する制御部１５によって設定画面の映像信号を生成してこれを外部出力部１３から出力し）、ＯＫボタン８１の入力があった際に（ステップ４０３）“往復再生時間”を取得して記憶部１６に格納する。“往復再生時間”を取得した後は、設定画面の表示を終了してステップ４０１へと戻る。なお、ユーザからの各種指示や各情報の取得動作は、表示画面に従う等してユーザがリモコン装置２や本体操作部１４ａを操作することで、キー判別部１４ｃ・制御部１５によって判別・取得される（ユーザの操作を適宜表示画面に反映しつつ必要な情報を所得する）。
【００３４】
図５は、本実施例の往復再生機能の設定から実行、終了に至る処理の概略を示すフローチャートである。なお、実施例１（図２）と同様の処理概念となるものについては同一の符号を使用し、ここでの説明を省略若しくは簡略化する。
【００３５】
コンテンツ再生処理中に、往復再生キー２３の入力があった際には（ステップ５０１）、入力があった地点を中心とした、「往復再生時間」の始点を「開始地点」として、終点を「終了地点」としてそれぞれ取得して記憶部１６に格納する（ステップ５０２）。当該処理の概念を説明するための説明図を図６に示した。同図中において、ＸとＹはＤＶＤ３に記録されているコンテンツの始点と終点を示し、Ｓは往復再生キー２３の入力があった時点を示している。また、Ｔは“往復再生時間”の時間幅である。同図（ｂ）に示されるように、往復再生キー２３の入力があった際には、当該時点（Ｓ点）を中心とした時間幅Ｔ（往復再生時間）の始点（Ａ点）と終点（Ｂ点）がそれぞれ「開始地点」と「終了地点」として取得されることとなる。具体的な処理としては、例えば、Ｓ地点からＴ／２だけ遡った地点を算出してこれを「開始地点」として、Ｓ地点からＴ／２だけ延長した地点を算出してこれを「終了地点」として、それぞれ取得することによって、「開始地点」と「終了地点」の設定が行われる。
【００３６】
なお、ステップ２０９において実行される“往復再生処理”は実施例１（図３）と同様である。
【００３７】
以上のごとく、本実施例のＶＤ再生装置１によれば、「往復再生キー２３」を１回操作することのみによって、コンテンツの所定の範囲の再生処理と逆再生処理とを繰返す処理を実行させることが可能となるため、より操作性に優れる。
【００３８】
なお、本実施例では、「入力があった地点を中心とした、往復再生時間の始点を開始地点として、終点を終了地点としてそれぞれ取得」するようにしたが、図７にその概念説明図を示したように、往復再生キー２３の入力があった地点（Ｓ点）を「終了地点」として且つ入力があった地点（Ｓ点）からＴ（往復再生時間）だけ遡った地点（Ａ点）を「開始地点」として取得するもの（図７（ａ））や、往復再生キー２３の入力があった地点（Ｓ点）を「開始地点」として且つ入力があった地点（Ｓ点）からＴだけ延長した地点（Ｂ点）を「終了地点」として取得するもの（図７（ｂ））であってもよい。また、Ｓ地点からＴだけ遡った地点を「開始地点」として、Ｓ地点からＴだけ延長した地点を「終了地点」として取得するもの（図７（ｃ））などであってもよい。また、本実施例では、Ｔ（往復再生時間）１つのみを設定するものとしているが、往復再生キー２３の入力があった地点（Ｓ点）から遡及させる遡及時間Ｔ１と、Ｓ点から延長させる延長時間Ｔ２とを設定することにより、往復再生キー２３の入力があった場合には、Ｓ点からＴ１だけ遡った地点を「開始地点」、Ｓ点からＴ２だけ延長した地点を「終了地点」として取得するものであってもよい。
【００３９】
本実施例では、“往復再生処理”をユーザによって設定させるものとしたが、装置として予め定められているものであっても構わない。
【実施例３】
【００４０】
図９は本実施例のＤＶＤ再生装置内蔵ＬＣＤの本発明に係る部分のみの概略を示すブロック図である。実施例１と同様の構成要素となるものについては実施例１（図１）と同一の符号を使用し、ここでの説明を省略若しくは簡略化する。図１０は同ＤＶＤ再生装置内蔵ＬＣＤの外観を示す斜視図、図１１は本発明に関する部分の動作の概略を示すフローチャートである。
【００４１】
図９に示されるように、本実施例のＤＶＤ再生装置内蔵ＬＣＤ（以下単にＤＶＤ内蔵ＬＣＤ）７は、実施例１のＤＶＤ再生装置と同様にディスクドライブ１１、再生処理部１２、外部出力部１３、操作部１４ａ、受光部１４ｂ、キー判別部１４ｃ、制御部１５、記憶部１６を備えると共に、映像を表示する表示部７２、放送信号を受信するチューナ部７３、外部装置（例えばＨＤＤレコーダ）からの映像／音声信号を入力する外部入力部７４、チューナ部７３又は外部入力部７４からの信号を切替えて出力する入力切替部７５、入力切替部７５若しくは再生処理部１２等から入力された映像信号を表示部７２へ表示させる処理を行う表示処理部７１などを備える。なお、本実施例のＤＶＤ内蔵ＬＣＤ７も、ユーザからの特殊再生（例えば、スロー再生、逆スロー再生、早送り再生、早戻し再生、逆再生など）要求に応じて、再生処理部１２と制御部１５によって、逆再生などの特殊再生を実行させる機能を有するものである。
【００４２】
図１１は、本実施例のＤＶＤ内蔵ＬＣＤ７の往復再生機能の設定から実行、終了に至る処理の概略を示すフローチャートである。なお、実施例１（図２）と同様の処理概念となるものについては同一の符号を使用し、ここでの説明を省略若しくは簡略化する。
【００４３】
コンテンツ再生処理中に、往復再生キー２３の入力信号がキー判別部１４ｃと制御部１５によって検出された場合には（ステップ１１０１）、当該入力があった時点（時間情報）を取得してこれを変数Ｓに代入して記憶部１６に格納する（ステップ１１０２）と共に、計時機能を有する制御部１５にタイマ１をスタートさせる（ステップ１１０３）。往復再生キー２３の入力信号がなくなるまでの間（ステップ１１０５）、タイマ１を２倍した時間情報（変位時間）を、再生しているコンテンツ映像に重畳させて表示部７２に表示させる（ステップ１１０４）。当該表示処理は、制御部１５によってタイマ１を２倍した時間情報を表示させるＯＳＤ信号を生成し、当該信号を表示処理部７１によってコンテンツ映像信号に重畳させることによって行う。
【００４４】
往復再生キー２３の入力信号が検出されなくなった場合には（ステップ１１０５）、タイマ１を２倍した時間情報を、変数Ｔに代入して記憶部１６に格納し（ステップ１１０６）、Ｓを中心とした、Ｔ（変位時間）の始点を「開始地点」として、終点を「終了地点」としてそれぞれ取得して記憶部１６に格納する（ステップ１１０７）。当該概念は図６（ｂ）と同様である。
【００４５】
以上のごとく、本実施例のＤＶＤ内蔵ＬＣＤ７によれば、「往復再生キー２３」を１回操作することのみによって（例えば往復再生キー２３が“ボタン”である場合には、ボタンの長押し操作によって）、コンテンツの所定の範囲の再生処理と逆再生処理とを繰返す処理を実行させることが可能となると共に、「往復再生キー２３」の入力時間に応じて「所定の範囲」の広狭が定められるため、１回の操作だけで「所定の範囲」を所望の広さに設定でき、より利便性に優れる。
【００４６】
なお、本実施例では、「往復再生キー２３」の入力時間を２倍したものを“変位時間”として取得するものを例として示したが、その他の倍数をかける（等倍を含む）ものであってもよく、また、指数関数などを用いて“変位時間”の増加率を変化させるもの（例えば、入力直後は“変位時間”の増加量が少なく、入力時間が長くなるに連れて“変位時間”の増加量が多くなるようにする等）としてもよく、これらの設定をユーザに行わせるようにしてもよい。
【００４７】
また、本実施例では、「入力があった地点（Ｓ）を中心とした、変位時間（Ｔ）の始点を開始地点として、終点を終了地点としてそれぞれ取得」するようにしたが、図７と同様の概念で、Ｓ地点を「終了地点」として且つＳ地点からＴ（変位時間）だけ遡った地点（Ａ点）を「開始地点」として取得するもの（図７（ａ））や、Ｓ地点を「開始地点」として且つＳ地点からＴだけ延長した地点（Ｂ点）を「終了地点」として取得するもの（図７（ｂ））であってもよい。また、Ｓ地点からＴだけ遡った地点を「開始地点」として、Ｓ地点からＴだけ延長した地点を「終了地点」として取得するもの（図７（ｃ））などであってもよい。
【実施例４】
【００４８】
図１２・図１３はそれぞれ本実施例のＤＶＤ内蔵ＬＣＤの本発明に関する処理動作の概略を示すフローチャートである。なお、本実施例のＤＶＤ内蔵ＬＣＤの構成は、実施例３（図９）と同様であるため、ここでの説明を省略し、必要があるときは図９を参照しつつ説明する。
【００４９】
図１２は、リピート再生方法の設定処理の概略を示したフローチャートである。操作部１４に対するユーザからのリピート再生方法設定要求があった場合には（ステップ１２０１）、図１４に示されるようなリピート再生方法設定画面を表示し（ステップ１２０２）、ＯＫボタンの入力があった際に（ステップ１２０３）、繰り返し回数に応じた再生方法（スロー再生や逆再生など）を取得して、これをリピート再生方法設定テーブル（図１５にリピート再生方法設定テーブルの一例を示した）に格納して記憶部１６に保存する（ステップ１２０４）。各情報を取得した後は、設定画面の表示を終了してステップ１２０１へと戻る。本実施例では、“繰り返し回数に応じた再生方法”を最大で４つ設定できるもの（必ずしも４つ全て設定する必要は無く１つのみの設定であってもよい）としているが、さらに多数の設定を可能とさせてもよい。
【００５０】
本実施例のＤＶＤ再生装置内蔵ＬＣＤの往復再生機能の設定から実行、終了に至る処理の概略は、実施例３（図１１）と同様であるが、ステップ２０９における処理では、図１３に示した処理が実行される。
【００５１】
図１３は、リピート再生処理の概略を示したフローチャートである。“リピート再生処理”（図１３）が実行されると、制御部１５によって記憶部１６に記憶されているリピート再生方法設定テーブル１５０が参照され、設定されている“再生方法”の数（本実施例では最大で４つ）を判別・取得し、これを変数ｎに代入する（ステップ１３０１）。続くループ１は、ループ内の処理をｎ回繰り返す（ｉが１からｎとなるまで繰返す）ものであり、具体的にはループ１の処理が１回実行される（ｉがｎとなるまで実行される）と、設定されている「開始地点」と「終了地点」間のコンテンツの再生処理（特殊再生処理）がｎ回（リピート再生方法設定テーブル１５０に設定されている“再生方法”の数）行われることとなる。ループ１の処理は「終了指示（図１１：ステップ２１１）」があるまで繰返されるため、「開始地点」と「終了地点」間のコンテンツの再生処理が繰返されることとなる。
【００５２】
ループ１内のステップ１３０２では、リピート再生方法設定テーブル１５０に設定されているｉ番目の再生方法が取得され、当該再生方法（例えばスロー再生）によって「開始地点」と「終了地点」間のコンテンツの再生処理が開始される（ステップ１３０３）。コンテンツ再生位置が「開始地点」若しくは「終了地点」に至ったと判断された場合には（ステップ１３０４）、ｉをインクリメントしてループ１の処理を繰返す（リピート再生方法設定テーブル１５０に設定されている次の“再生方法”による、「開始地点」と「終了地点」間のコンテンツの再生処理に移行する）。
【００５３】
以上のごとく、本実施例のＤＶＤ内蔵ＬＣＤによれば、再生方法を予め設定しておくことにより、普段の使用時には、「往復再生キー２３」を１回操作することのみによって、リピート再生方法設定テーブルの設定に従って、所定の範囲のコンテンツが繰返し再生処理（特殊再生処理）されるため、再生方法の多様化が図られユーザの利便性に優れる。即ち、例えば、スポーツのクロスプレイ映像部分において、通常再生→逆スロー再生→通常再生→逆スロー再生・・・のようなリピート再生処理や、通常再生→スロー再生→逆スロー再生→通常再生・・・のようなリピート再生処理を行わせることが可能となり、ユーザの利便性に優れるのである。
【００５４】
実施例中においては“情報記録媒体”の具体例として、ＤＶＤを用いて説明したが、その他のディスク媒体（例えば、ＨＤＤ、ＶＣＤ、ＤＶＡ、ＣＤ等）であってもよく、半導体メモリなどであっても構わない。また、本発明における“再生装置”とは、いわゆるＤＶＤプレーヤといった装置に限られるというものではなく、“映像コンテンツが記録された情報記録媒体”に対するデータの再生動作を行える装置を指し、他の機能をも併せ持つ装置（例えば、記録動作も行えるＤＶＤレコーダや、ＨＤＤ内蔵型のテレビや、ビデオカメラ、デジタルカメラ、パソコンなど）であっても構わない。
【図面の簡単な説明】
【００５５】
【図１】ＤＶＤ再生装置の本発明に係る部分のみの概略を示すブロック図
【図２】ＤＶＤ再生装置の本発明に関する処理動作の概略を示すフローチャート
【図３】往復再生処理の動作の概略を示すフローチャート
【図４】往復再生時間設定処理の動作の概略を示すフローチャート
【図５】実施例２のＤＶＤ再生装置の本発明に関する処理動作の概略を示すフローチャート
【図６】往復再生機能の設定時の概念を説明するための図
【図７】往復再生機能の設定時の別の概念を説明するための図
【図８】表示画面（往復再生時間設定画面）の一例を示す図
【図９】ＤＶＤ再生装置内蔵ＬＣＤの本発明に係る部分のみの概略を示すブロック図
【図１０】ＤＶＤ再生装置内蔵ＬＣＤの外観の概略を示す斜視図
【図１１】ＤＶＤ再生装置内蔵ＬＣＤの本発明に関する処理動作の概略を示すフローチャート
【図１２】リピート再生方法設定処理の動作の概略を示すフローチャート
【図１３】リピート再生処理の動作の概略を示すフローチャート
【図１４】表示画面（リピート再生方法設定画面）の一例を示す図
【図１５】リピート再生方法設定テーブルの一例を示す図
【符号の説明】
【００５６】
１      ＤＶＤ再生装置（再生装置）
２      リモコン装置（操作部）
３      ＤＶＤ（情報記録媒体）
７      ＤＶＤ内蔵ＬＣＤ（再生装置）
１１    ディスクドライブ（情報読出部）
１２    再生処理部
１４    操作部
１５    制御部
１６    記憶部
２３    往復再生キー
１５０  リピート再生方法設定テーブル
【図１】
2007141300.tif 000003
【図２】
2007141300.tif 000004
【図３】
2007141300.tif 000005
【図４】
2007141300.tif 000006
【図５】
2007141300.tif 000007
【図６】
2007141300.tif 000008
【図７】
2007141300.tif 000009
【図８】
2007141300.tif 000010
【図９】
2007141300.tif 000011
【図１０】
2007141300.tif 000012
【図１１】
2007141300.tif 000013
【図１２】
2007141300.tif 000014
【図１３】
2007141300.tif 000015
【図１４】
2007141300.tif 000016
【図１５】
2007141300.tif 000017